(57)【要約】【課題】開閉蓋をがたつきなく確実にロックすることのできるロック機構を備えたプリンタを提案すること。【解決手段】プリンタ１は、本体ユニット２の前面に前方に開閉可能に開閉蓋ユニット３が取り付けられ、開閉蓋ユニット３を開けるとプリンタ本体内部のロール紙収納部９が開放状態になる。開閉蓋ユニット３を閉じ位置にロックするためのロック機構８０は、開閉蓋ユニット３に取り付けた左右一対のロック軸８３、８４と、プリンタ本体２に取り付けた左右一対のロックレバー８１、８２と、ロックレバー８１、８２をロック位置Ｌに向けて引張っている引張りコイルばね８５、８６とを備えている。左右のロックレバー８１、８２は独立して、それらのロック位置およびロック解除位置に回動可能であり、一方のみがロック軸に係合し、他方がロック軸から浮き上がったままのロック状態が形成されることを防止できる。【選択図】図６
2007044940.tif 000002
【特許請求の範囲】
【請求項１】
プリンタ本体と、
当該プリンタ本体に開閉可能に取り付けられた開閉蓋と、
当該開閉蓋を閉じ状態にロックするためのロック機構と、
当該ロック機構によるロックを解除するために操作される手動操作レバーとを有しており、
前記ロック機構は、
固定側係合部材と、
前記固定側係合部材に掛止したロック位置および当該固定側係合部材から外れたロック解除位置の間を回動可能な少なくとも一対の回動側係合部材と、
これら回動側係合部材を前記ロック位置に向けて付勢している付勢部材とを備えており、
前記プリンタ本体および前記開閉蓋のうちの一方に前記固定側係合部材が取り付けられ、他方に前記回動側係合部材が個別に回動可能な状態で取り付けられていることを特徴とするプリンタ。
【請求項２】
請求項１において、
前記手動操作レバーの操作に連動して少なくとも一対の前記回動側係合部材を同時に前記ロック位置から前記ロック解除位置に回動させるロック解除機構を有していることを特徴とするプリンタ。
【請求項３】
請求項２において、
前記固定側係合部材は前記開閉蓋に配置されており、
前記回動側係合部材は前記プリンタ本体に配置されていることを特徴とするプリンタ。
【請求項４】
請求項３において、
前記固定側係合部材はプリンタ幅方向に延びる一対の軸部材であり、
前記回動側係合部材は、各軸部材に対応する部位においてプリンタ上下方向に回動可能な状態で支持されている一対のロックレバーであり、
各ロックレバーの前端部は、各軸部材に上側あるいは下側から掛止可能な掛止用端面と、当該掛止端面に前記軸部材を案内する案内用端面とを備えたフック部となっており、
前記付勢部材は、前記ロックレバーのそれぞれの回動中心より後側の部位とプリンタ本体との間に架け渡した一対の引張りコイルばねであることを特徴とするプリンタ。
【請求項５】
請求項４において、
前記ロック解除機構は、前記開閉蓋ユニットに回転自在の状態で取り付けられた回転軸と、この回転軸の両端部分に、当該回転軸と一体回転するように取り付けた一対の解除レバーとを備え、これらの前記解除レバーは対応する前記ロックレバーの前端部にそれぞれ係合しており、一方の前記解除レバーは前記手動操作レバーに係合しており、
前記解除レバーと前記ロックレバーの係合状態、および、前記解除レバーと前記手動操作レバーの係合状態が、前記引張りコイルばねのばね力によって維持されており、
前記手動操作レバーを操作すると前記解除レバーが回動して、対応する前記ロックレバーが前記ロック位置から前記ロック解除位置に回動させられ、前記手動操作レバーに加えている操作力が解除されると、前記引張りコイルばねのばね力によって、前記手動操作レバー、前記解除レバーおよび前記手動操作レバーが元の位置に戻ることを特徴とするプリンタ。
【発明の詳細な説明】
【技術分野】
【０００１】
本発明は、プリンタ本体に開閉蓋が取り付けられているプリンタにおいて、開閉蓋を閉じ位置にロックするためのロック機構の改良に関するものである。
【背景技術】
【０００２】
ＰＯＳシステムなどにおいては、ロール紙に印刷を行うサーマルプリンタが広く用いられている。この種のプリンタとしては、プリンタ本体に取り付けられた開閉蓋を開けると、ロール紙収納部が全開状態となり、ロール紙の交換作業などを簡単に行うことのできる構造のものが知られている。また、開閉蓋の先端部にプラテンローラを取り付け、開閉蓋を開けると、サーマルヘッドからプラテンローラが離れ、これらの間を通してロール紙をセットする作業も簡単にできるようにしたものも知られている。さらに、記録紙排出口近傍に鋏式のカッタが配置されているプリンタでは、プラテンローラと共にカッタの固定刃および可動刃の一方を開閉蓋の側に搭載し、ロール紙をセットする作業を簡単にできるようにした構造のものも知られている。
【０００３】
このような開閉蓋を備えたプリンタでは、開閉蓋が不用意に開いてしまうことの無いように、開閉蓋をプリンタ本体にロックするロック機構が備わっている。特に、ロール紙などの記録紙を逆送り可能なプリンタでは、逆送り時に、プラテンローラに対してプリンタ本体側の回転力伝達用駆動歯車の側から開閉蓋を開ける方向の力が作用するので、開閉蓋が開き易い。また、鋏方式のカッタによる記録紙切断時においても固定刃あるいは可動刃から開閉蓋を開ける方向の反力が開閉蓋に作用するので、開閉蓋が開き易い。したがって、開閉蓋のロック機構が不可欠である。
【０００４】
開閉蓋のロック機構は、一般に、開閉蓋の側に回動可能な状態で左右一対のロックレバーが取り付けられ、プリンタ本体の側における対応する部位にロックレバー掛止部が形成された構成となっている。また、左右のロックレバーは一体回動するようになっており、ばね力によってロックレバー掛止部に向けて付勢されている。開閉蓋を閉じると左右のロックレバーが対応するロックレバー掛止部の先端に当たり、これらの先端を乗り越えて掛止部とのロック状態が形成される。このようなロック機構は特許文献１に開示されている。
【特許文献１】特開平９−２４００８３号公報、図６、７
【発明の開示】
【発明が解決しようとする課題】
【０００５】
しかしながら、製造誤差、組み付け誤差などに起因して、開閉蓋を閉じた状態における左右のロックレバーとプリンタ本体側の左右のロックレバー掛止部との相対位置関係が同一にならない場合がある。例えば、ロック状態において、一方のロックレバーはロックレバー掛止部に確実に掛止されているのに対して、他方のロックレバーとロックレバー掛止部の間には隙間ができる場合がある。
【０００６】
かかるロック状態が形成されると、開閉蓋にそれを押し開く方向に力が作用した場合などにおいては、開閉蓋における隙間のできている側の部分が浮き上がり、サーマルヘッドに対するプラテンローラの押圧力がその軸線方向において不均一になる。この状態で記録紙が搬送されると、記録紙にスキュー（斜行、蛇行）が発生し、紙詰まりの発生などの不具合が生ずるおそれがある。また、サーマルプリンタでは、記録紙がサーマルヘッドとプラテンローラの間に挟持され、所定の押圧力を加圧されながら印刷される。印刷時、これらの間の押圧力が不均一だと、押圧力の大きい部位では印刷濃度が濃くなり、押圧力の小さい部位では印刷濃度が薄くなる傾向があり、印刷品質の劣化を生じるおそれもある。
【０００７】
さらに、開閉蓋に鋏式のカッタにおける一方の刃が搭載されている場合には、記録紙切断時に開閉蓋にそれを押し開く方向の力が作用すると、開閉蓋における隙間のできている側にがたつきが発生して、切断線が乱れるなどの不具合が生ずるおそれもある。
【０００８】
本発明の課題は、このような点に鑑みて、開閉蓋をがたつきなく確実にロックすることのできるロック機構を備えたプリンタを提案することにある。
【課題を解決するための手段】
【０００９】
上記の課題を解決するために、本発明のプリンタは：プリンタ本体と、このプリンタ本体に開閉可能に取り付けられた開閉蓋と、この開閉蓋を閉じ状態にロックするためのロック機構と、このロック機構によるロックを解除するために操作される手動操作レバーとを有しており；前記ロック機構は、固定側係合部材と、前記固定側係合部材に掛止したロック位置および当該固定側係合部材から外れたロック解除位置の間を回動可能な少なくとも一対の回動側係合部材と、これら回動側係合部材を前記ロック位置に向けて付勢している付勢部材とを備えており；前記プリンタ本体および前記開閉蓋のうちの一方に前記固定側係合部材が取り付けられ、他方に前記回動側係合部材が個別に回動可能な状態で取り付けられていることを特徴としている。
【００１０】
ロック機構の一対の回動側係合部材は個別に回動可能な状態で、プリンタ本体あるいは開閉蓋に取り付けられている。したがって、これらが一体となって回動する場合とは異なり、双方の回動側係合部材がそれぞれ確実に固定側係合部材に係合した状態が形成される。この結果、一方の回動側係合部材と固定側係合部材の間に隙間ができたまま開閉蓋がロックされてしまう状態が発生しない。
【００１１】
また、本発明のプリンタは、手動操作レバーの操作によって、個別に回動可能なロックレバーを同時にロック解除位置に回動させるために、前記手動操作レバーの操作に連動して前記一対の回動側係合部材を同時に前記ロック位置から前記ロック解除位置に回動させるロック解除機構を有していることを特徴としている。
【００１２】
ここで、本発明において、前記固定側係合部材を前記開閉蓋に配置し、前記回動側係合部材を前記プリンタ本体に配置することができる。
【００１３】
また、前記固定側係合部材を一対の軸部材とし、前記回動側係合部材を、各軸部材に対応する部位においてプリンタ上下方向に回動可能な状態で支持されている一対のロックレバーとし、各ロックレバーの前端部を、各軸部材に上側あるいは下側から掛止可能な掛止用端面と、当該掛止端面に前記軸部材を案内する案内用端面とを備えたフック部とし、前記付勢部材を、前記ロックレバーのそれぞれの回動中心より後側の部位とプリンタ本体との間に架け渡した一対の引張りコイルばねとすることができる。
【００１４】
さらに、本発明における前記ロック解除機構は、前記開閉蓋ユニットに回転自在の状態で取り付けられた回転軸と、この回転軸の両端部分に、当該回転軸と一体回転するように取り付けた一対の解除レバーとを備え、これらの前記解除レバーは対応する前記ロックレバーの前端部にそれぞれ係合しており、一方の前記解除レバーは前記手動操作レバーに係合しており、前記解除レバーと前記ロックレバーの係合状態、および、前記解除レバーと前記手動操作レバーの係合状態が、前記引張りコイルばねのばね力によって維持されており、前記手動操作レバーを操作すると前記解除レバーが同時に回動して、対応する前記ロックレバーが前記ロック位置から前記ロック解除位置に回動させられ、前記手動操作レバーに加えている操作力が解除されると、前記引張りコイルばねのばね力によって、前記手動操作レバー、前記解除レバーおよび前記手動操作レバーが元の位置に戻ることを特徴としている。
【発明の効果】
【００１５】
本発明のプリンタでは、開閉蓋をプリンタ本体にロックするためのロック機構として、固定側係合部材に係合してロック状態を形成するための一対の回動側係合部材を個別に回動可能な状態で開閉蓋あるいはプリンタ本体に取り付けてある。したがって、付勢部材によってロック位置に付勢されている一対の回動側係合部材が確実に固定側係合部材に係合した状態が形成される。よって、開閉蓋が浮き上がって記録紙がスキューするという弊害、記録紙の切断線が乱れる弊害、印刷品質の劣化の弊害などを確実に防止できる。
【発明を実施するための最良の形態】
【００１６】
以下に、図面を参照して、本発明を適用したロール紙プリンタの実施の形態を説明する。
【００１７】
（全体構成）
図１は本発明を適用したロール紙プリンタの外観斜視図であり、図２はその開閉蓋ユニットを開けた状態を示す外観斜視図である。
【００１８】
本実施の形態に係るロール紙プリンタ１は、プリンタ本体２と、その前面に取り付けた開閉蓋ユニット３（開閉蓋）を有しており、プリンタ本体２の前面の端には操作パネルユニット４が取り付けられている。プリンタ前面における開閉蓋ユニット３の上端部分には、プリンタ幅方向に延びる記録紙排出口５が形成されている。
【００１９】
プリンタ本体２は、前面および底面が開口した前後に長いボックス形状の本体ケース６によって覆われている。開閉蓋ユニット３の前面には、プリンタ前面を規定している開閉蓋ケース７が取り付けられている。開閉蓋ユニット３は、操作パネルユニット４に配置されている手動操作レバー８を操作すると、後述のロック機構が解除されて下端部を中心として前方に開くようになっている。開閉蓋ユニット３が開くと、内部に形成されているロール紙収納部９の前面側が開放状態となり、ロール紙１０の交換作業などを行うことができる。操作パネルユニット４の前面には、ＬＥＤなどからなる状態表示ランプ群４ａ、フィードボタン４ｂ、電源スイッチ４ｃが配置されている。
【００２０】
図３はロール紙プリンタ１の内部を示す概略構成図である。ロール紙プリンタ１の内部に形成されているロール紙収納部９は、プリンタ幅方向に延びる円弧状の底板１２、同じくプリンタ幅方向に延びる円弧状の天板１３、および、同じくプリンタ幅方向に延びる前板１４によって囲まれている。このロール紙収納部９には、転動自在の状態でロール紙１０が収納されている。ここから繰り出されるテープ状の記録紙１０ａは、プラテンローラ１５と、サーマルヘッド１６の間の印刷位置を通過して前方に引き出されて、その前方に位置している記録紙排出口５から前方に排出される。記録紙排出口５の手前には鋏式の記録紙切断装置２０が配置されている。
【００２１】
記録紙切断装置２０は、プリンタ本体２の側に搭載されている固定刃２１と、開閉蓋ユニット３の側に搭載されている可動刃２２および可動刃駆動機構２３とを有している。固定刃２１は刃先２１ａが前方を向く略水平な姿勢で、プリンタ幅方向に配列されている。可動刃２２は、固定刃２１の刃先２１ａのほぼ真下の位置において、刃先２２ａが上を向く略垂直な姿勢で、プリンタ幅方向に配列されている。これらの刃先２１ａ、２２ａの間（記録紙切断位置）を通って記録紙１０ａが排出された状態において、下側の可動刃２２を上方に旋回させることにより、両刃先２１ａ、２２ａによって挟まれた記録紙１０ａの部位がプリンタ幅方向に切断される。
【００２２】
図４は本体ケース６および開閉蓋ケース７を取り外した状態でのロール紙プリンタの機構部（プリンタ本体２および開閉蓋ユニット３）を示す側面図である。図５（ａ）および（ｂ）は、さらに、内部構造を示すために想像線で示すように一方の側板を省略した状態の斜視図および側面図である。図６（ａ）および（ｂ）は、図５と同様な状態において開閉蓋ユニットを開けた場合を示す斜視図および側面図である。
【００２３】
これらの図を参照して説明すると、プリンタ本体２は、ベース板３１と、このベース板３０から垂直に起立している左右の側板３２、３３と、これら左右の側板３２、３３の後側の部位の間にプリンタ幅方向に架け渡された背面板３０とを備えている。側板３２、３３の上端の間には、ヘッド取付板３４がプリンタ幅方向に水平に架け渡されており、このヘッド取付板３４の下面に、ヘッド面１６ａが下向きのほぼ水平姿勢でサーマルヘッド１６が取り付けられている（図３参照）。ヘッド取付板３４の後側の部位の下側には、ロール紙収納部９の天板１３が配置されている。また、ロール紙収納部９の底板１２はベース板３１の上面に配置されている。
【００２４】
ヘッド取付板３４の上側には固定刃取付板３５がプリンタ幅方向に水平に配置されており、この固定刃取付板３５の前端部下側に記録紙切断装置２０の固定刃２１が前向きでほぼ水平に取り付けられている。固定刃取付板３５は、側板３２、３３の外側に配置されている左右の旋回板３６、３７（図においては旋回板３７のみを示す。）の上端の間に架け渡されている。旋回板３６、３７は、それらの下端部３６ａ、３７ａ（図においては下端部３７ａのみを示す。）を中心としてプリンタ前後方向に僅かに旋回可能である。
【００２５】
記録紙切断装置２０による記録紙１０ａの切断時には、可動刃２２が下側から上方に旋回して固定刃２１を後方に押し込みながら双方の刃先２１ａ、２２ａが点接触状態で交差して、記録紙１０ａが切断される。切断時において固定刃２１を僅かに後退させるために、旋回板３６、３７によって固定刃２１が支持されている。
【００２６】
側板３２の外側面の下端部分には、ロール紙収納部９に収納されているロール紙１０の残り量が所定量以下になったことを検出するためのロール紙検出機構５０が組み付けられている。
【００２７】
一方、開閉蓋ユニット３は、プリンタ本体２の側板３２、３３の下端部に取り付けられている支軸４１、４２を中心としてプリンタ前方に所定角度だけ開くようになっている。開閉蓋ユニット３は、前板部分４３と、この両側から後方に直角に折れ曲がっている細幅の側板部分４４、４５とを備えている。前板部分４３の前面には、記録紙切断装置２０の可動刃２２および可動刃駆動機構２３が取り付けられており、これらの部分が保護板２４によって覆われている。保護板２４の前側は開閉蓋ケース７によって覆われている（図３参照）。また、側板部分４４、４５にはプラテンローラ１５が回転自在の状態で架け渡されている。プラテンローラ１５の下側には、前板部分４３の背面に取り付けたロール紙収納部９の前板１４が配置されている。
【００２８】
上記のように、開閉蓋ユニット３には、ロール紙収納部９の前板１４と、プラテンローラ１５と、記録紙切断装置２０の可動刃２２が搭載されている。開閉蓋ユニット３を開くと、図２、図５に示すように、ロール紙収納部９が開放状態となると共に、ロール紙収納部９から印刷位置および切断位置を経由して記録紙排出口５に到る記録紙搬送路が開放状態になる。したがって、ロール紙収納部９に収納されたロール紙１０から記録紙１０ａを引き出した状態で開閉蓋ユニット３を閉じると、かかる記録紙搬送路に沿って記録紙１０ａがセットされた状態を自動的に形成できる。開閉蓋ユニット３が閉じた状態のとき、記録紙１０ａは、サーマルヘッド１６とプラテンローラ１５の間に挟持され、所定の押圧力を加圧される。記録紙１０ａはプラテンローラ１５の回転によりサーマルヘッド１６と接触しながら搬送され、このときサーマルヘッド１６の発熱体が発生する熱により発色し印刷される。この発熱体の熱を記録紙１０ａに伝導するため、サーマルヘッド１６とプラテンローラ１５の間の押圧力が、印刷品質に大きな影響を与えることになる。
【００２９】
（開閉蓋のロック機構・ロック解除機構）
図７および図８は開閉蓋ユニット３のロック機構・ロック解除機構を示す側面図であり、図７は開閉蓋ユニット３が閉じたロック状態を示し、図８はロック解除状態を示す。図４ないし図８を参照して本例のロック機構を説明する。
【００３０】
ロック機構８０は、プリンタ本体２の側に取り付けた左右一対のロックレバー８１、８２（回動側係合部材）と、開閉蓋ユニット３の側に取り付けた左右一対のロック軸８３、８４（固定側係合部材）と、ロックレバー８１、８２のそれぞれを付勢している左右一対の引張りコイルばね８５、８６（付勢部材）とを備えている（なお、図５（ｂ）においては、引張りコイルばね８６をロックレバー８２に掛ける前の状態における当該ロックレバー８２の位置、これにリンクしている後述の解除レバー９３および手動操作レバー８の位置を示してある。）。
【００３１】
ロックレバー８１、８２は、プリンタ本体２の左右の側板３２、３３の内側面に沿ってプリンタ前後方向に配列されており、それらの前後方向の中程の部位において、側板３２、３３に固定した支軸８７、８８（図においては支軸８８のみを示す。）によって上下方向に回動自在の状態で支持されている。本例では、側板３２、３３に形成されている不図示の規制部によって、ロックレバー８１、８２は、図７に示すロック位置Ｌから図８に示すロック解除位置Ｕまでの範囲を包含する範囲で回動自在とされている。
【００３２】
ロックレバー８１、８２の前端部にはフック部８１ａ、８２ａが形成されており、各フック部８１ａ、８２ａは、下側から対応するロック軸８３、８４の手前側に掛止可能な掛止用端面８１ｂ、８２ｂと、これらの掛止用端面８１ａ、８２ａの上端から前方および下方に傾斜しているロック軸案内用端面８１ｃ、８２ｃとを備えた上方に山形の部分を備えている。ロックレバー８１、８２の後端８１ｄ、８２ｄと、これらの下方に位置している背面板３０の上端両側の部位との間に、引張りコイルばね８５、８６が引張り状態で架け渡されている。
【００３３】
一方、一対のロック軸８３、８４は、開閉蓋ユニット３におけるプラテンローラ１５の下側の部位において、左右の側板部分４４、４５から内方に水平に突出している。
【００３４】
次に、ロック機構８０による開閉蓋ユニット３のロックを解除するためのロック解除機構９０を説明する。ロック軸８３、８４の前側の位置には、側板部分４４、４５に両端部が回転自在の状態で支持された回転軸９１が配置されている。回転軸９１はプリンタ幅方向に向けて水平に架け渡されている。この回転軸９１の両端部分は側板部分４４、４５から外側に突出しており、これらの突出した軸端部には、プリンタ前後方向に延びる解除レバー９２、９３（図においては解除レバー９３のみを示す。）の後端部が固定されている。また、回転軸９１における一方の解除レバー９３の側の軸端部には手動操作レバー８が上下方向に回転自在の状態で取り付けられている。さらに、手動操作レバー８の側の解除レバー９３における前端部には、当該手動操作レバー８の側に突出した係合ピン９４が取り付けられており、この係合ピン９４の上に手動操作レバー８が乗った状態となっている。
【００３５】
一対の解除レバー９２、９３の後端部は、回転軸９１に固定されている部位の下方において後方に突出した係合突起９２ａ、９３ａが形成されている。これらの係合突起９２ａ、９３ａは、左右のロックレバー８１、８２における前端のフック部８１ａ、８２ａの下側に形成されている外方に直角に折れ曲がった係合板部分８１ｅ、８２ｅの前面に前方から当接している。係合突起９２ａ、９３ａと、係合板部分８１ｅ、８２ｅとの当接点は、ロックレバー８１、８２の支軸８７、８８よりも下側に位置するように設定されている。
【００３６】
このように構成した本例のロック機構８０は、図７に示すように、開閉蓋ユニット３を閉じたときロック状態に保持している。ロック状態では、開閉蓋ユニット３の側のロック軸８３、８４の両端部分に対して、下側から引張りコイルばね８５、８６によって、プリンタ本体２の側の左右のロックレバー８１、８２のフック部８１ａ、８２ａが押し付けられている。
【００３７】
この結果、ロック軸８３、８４にはフック部８１ａ、８２ａの掛止用端面８１ｂ、８２ｂが前側から押し付けられているので、開閉蓋ユニット３が前方には開けることのできないロック状態が形成されている。また、各ロックレバー８１、８２は独立して支軸８７、８８を中心として回動可能であるので、それぞれ、確実にロック軸８３、８４に掛止された各ロック位置Ｌに保持される。
【００３８】
さらに、引張りコイルばね８５、８６によって支軸８７、８８を中心として上方に付勢されているロックレバー８１、８２の前端部の係合板部分８１ｅ、８２ｅによって、左右の解除レバー９２、９３が支持されている。したがって、解除レバー９３の係合ピンに乗っている手動操作レバー８もその初期位置に保持されている。
【００３９】
かかるロック状態において、手動操作レバー８を下方に引くと、ロック解除機構９０によってロック状態が解除される。すなわち、手動操作レバー８に係合している解除レバー９３が下方に回動し、これが固定されている回転軸９１も一体となって回転する。よって、回転軸９１の他方の端部に固定されている解除レバー９２も一体となって同時に下方に回動する。左右の解除レバー９２、９３の後端の係合突起９２ａ、９３ａは、左右のロックレバー８１、８２の前端部の係合板部分８１ｅ、８２ｅに対して、それらの回動中心よりも下側の点で当接している。したがって、解除レバー９２、９３が下方に回動すると、これらによって、ロックレバー８１、８２は強制的に支軸８７、８８を中心として下方に回動させられる。
【００４０】
この結果、図８に示すように、左右のロックレバー８１、８２がロック解除位置Ｕまで回動して、それらの前端部のフック部８１ａ、８２ａがロック軸８３、８４の下方に下がる。これにより、ロック軸８３、８４に対する左右のロックレバー８１、８２の係合が解除されたロック解除状態になる。この後は、開閉蓋ユニット３を手前に引くことにより、当該開閉蓋ユニット３を開き位置３Ｂまで開くことができる。図６にはこの全開状態を示してある。この状態では、左右のロックレバー８１、８２は引張りコイルばね８５、８６によって引張られて、それらのロック位置Ｌを超えた位置まで回動した状態にある。
【００４１】
次に、図６に示す全開状態から開閉蓋ユニット３を閉じると、再びロック機構８０によるロック状態が自動的に形成される。開閉蓋ユニット３が閉じ位置３Ａの近傍に到ると、開閉蓋ユニット３のロック軸８３、８４が、プリンタ本体２の側の左右のロックレバー８１、８２の前端部のフック部８１ａ、８２ａにおける案内用端面８１ｃ、８２ｃに当たる。この後は、開閉蓋ユニット３の押し込み動作に連動して、ロック軸８３、８４は左右のロックレバー８１、８２を下方に押し込みながら当該案内用端面８１ｃ、８２ｃを摺動する。ロック軸８３、８４がこれらのロック案内用端面８１ｃ、８２ｃを乗り越えると、ロックレバー８１、８２がばね力によって上方に回動して、ロック軸８３、８４に対してその前側から掛止用端面８１ｂ、８２ｂが掛止されたロック状態が形成される。
【００４２】
このように構成した本例のロック機構８０では、ロック軸８３、８４に対して、左右のロックレバー８１、８２がそれぞれ独立して回動し掛止することにより、ロック状態が形成される。したがって左右のロックレバー８１、８２が互いに固定された機構のように、一方の側においてのみロック軸にロックレバーが当たり、他方の側ではロック軸からロックレバーが浮き上がっているロック状態が形成されることがなく、双方のロックレバーがロック軸に当たっている状態で保持され、がたつきの無いロック状態が確実に形成される。よって、記録紙１０ａを逆送りする場合、記録紙切断装置２０を駆動して記録紙１０ａを切断する場合などのように、開閉蓋ユニット３を開ける方向に力が作用しても、開閉蓋ユニット３ががたつくことがない。このため、記録紙のスキュー、記録紙切断線の乱れなどの不具合が発生を防止できる。サーマルヘッド１６とプラテンローラ１５の間の押圧力も均一となり、良好な印刷品質を得ることもできる。
【００４３】
なお、本例では一対のロックレバー８１、８２を備えた場合の例であるが、３つ以上のロックレバーを備えた構成とすることもできる。また、手動操作レバー８を左右に設けて、より小さな力で開閉蓋ユニット３を開けるようにすることもできる。
【図面の簡単な説明】
【００４４】
【図１】本発明を適用したロール紙プリンタの外観斜視図である。
【図２】ロール紙プリンタの開閉蓋を開けた状態での外観斜視図である。
【図３】ロール紙プリンタの内部構造を示す概略構成図である。
【図４】ロール紙プリンタの本体ケースおよび開閉蓋を取り外した状態のロール紙プリンタの側面図である。
【図５】内部構造を示すために図４における一方の側板を省略した状態のロール紙プリンタの斜視図および側面図である。
【図６】開閉蓋ユニットを開けた状態の斜視図および側面図である。
【図７】ロック状態にあるロック機構を示す側面図である。
【図８】ロック解除状態のロック機構を示す側面図である。
【符号の説明】
【００４５】
１  ロール紙プリンタ、２  プリンタ本体、３  開閉蓋ユニット、３Ａ  閉じ位置、３Ｂ開き位置、５  記録紙排出口、６  本体ケース、７  開閉蓋ケース、９  ロール紙収納部、１０、１５  プラテンローラ、１６  サーマルヘッド、８０  ロック機構、８１，８２  ロックレバー、８１ａ，８２ａ  フック部、８１ｂ，８２ｂ  ロック軸掛止用端面、８１ｃ，８２ｃ  ロック軸案内用端面、８１ｅ，８２ｅ  係合板部分、８３，８４  ロック軸、８５，８６  引張りコイルばね、８７，８８  支軸、９０  ロック解除機構、９１  回転軸、９２，９３  解除レバー、９２ａ，９３ａ  係合突起、９４  係合ピン
【図１】
2007044940.tif 000003
【図２】
2007044940.tif 000004
【図３】
2007044940.tif 000005
【図４】
2007044940.tif 000006
【図５】
2007044940.tif 000007
【図６】
2007044940.tif 000008
【図７】
2007044940.tif 000009
【図８】
2007044940.tif 000010